(57)【特許請求の範囲】
【請求項１】
記録・再生用磁気ヘッドおよび、この記録・再生用磁気ヘッドよりも磁気記録媒体の移動上流側に位置する消去用磁気ヘッドと、
前記記録・再生用磁気ヘッドを搭載して、前記記録・再生用磁気ヘッドが磁気記録媒体と接触する駆動位置と、前記記録・再生用磁気ヘッドが磁気記録媒体から離れる停止位置とに移動可能な第１の支持部材と、
モータの動力で回転させられる回転体、および前記回転体に設けられて前記第１の支持部材を前記駆動位置と前記停止位置とに移動させるモード切換えカムと、
前記第１の支持部材が前記駆動位置および前記停止位置のときに前記回転体の回転を停止させるトリガー部材、および前記トリガー部材を、前記回転体を停止させる位置と停止を解除させる位置との間で駆動するトリガー駆動源と、
前記消去用磁気ヘッドを搭載して前記消去用磁気ヘッドが磁気記録媒体に接触する消去位置へ移動可能な第２の支持部材と、
前記モード切換えカムと同期して回転し、その回転中心からの距離が相違する記録モード設定経路と再生モード設定経路とを振り分ける振り分けカムと、前記振り分けカムが回転するときにこの振り分けカムによって移動位置が制御される選択部材とが設けられ、
前記回転体が回転して前記第１の支持部材が前記停止位置から前記駆動位置へ設定される途中で、前記トリガー駆動源の駆動力によって、前記選択部材が前記記録モード設定経路を通過する位置または前記再生モード設定経路を通過する位置のいずれかに振り分けられ、
前記選択部材が前記再生モード設定経路へ振り分けられると、前記選択部材の選択部によって、前記第２の支持部材が前記第１の支持部材の駆動位置への移動に追従しない状態に設定され、前記選択部材が前記記録モード設定経路に振り分けられると、前記第２の支持部材が前記第１の支持部材の駆動位置への移動に追従して前記消去位置へ移動させられる状態に設定されることを特徴とする磁気記録再生装置。
【請求項２】
前記トリガー駆動源がソレノイドであり、前記ソレノイドの励磁と非励磁の一方で前記トリガー部材が前記回転体を停止させ、他方で前記回転体の停止を解除し、前記停止を解除したときの前記ソレノイドの設定時間を変えることにより、前記選択部材が前記記録モード設定経路を通過する位置または前記再生モード設定経路を通過する位置に振り分けられる請求項１記載の磁気記録再生装置。
【請求項３】
前記モード切換えカムと前記振り分けカムとが、同じ回転体に設けられている請求項１または２記載の磁気記録再生装置。
【請求項４】
前記第２の支持部材を前記消去位置へ付勢するばね部材が設けられ、前記選択部材が前記再生モード設定経路に振り分けられているときに、前記選択部材の前記選択部で前記第２の支持部材が規制されて、前記駆動位置へ移動する第１の支持部材が前記ばね部材に移動力を与えず、前記選択部材が前記記録モード設定経路に振り分けられているときに、前記選択部による前記第２の支持部材の規制が解除されて、前記駆動位置へ移動する第１の支持部材から前記ばね部材を介して前記第２の支持部材に前記消去位置方向への移動力が与えられる請求項１ないし３のいずれかに記載の磁気記録再生装置。
【請求項５】
機構シャーシには一定速度で回転するキャプスタンと、磁気記録媒体を挟んで前記キャプスタンに対向するピンチローラおよび、このピンチローラを支持するローラ支持部材が設けられ、ローラ支持部材と前記第２の支持部材は、共に前記機構シャーシに回動自在に支持され、前記第１の支持部材が前記駆動位置へ移動するときに、第１の支持部材に前記ローラ支持部材が追従して、前記ピンチローラが前記キャプスタンとで磁気記録媒体を挟む位置へ移動させられる請求項１ないし４のいずれかに記載の磁気記録再生装置。
【発明の詳細な説明】
【０００１】
【発明の属する技術分野】
本発明は、磁気テープなどの磁気記録媒体に記録・再生用磁気ヘッドのみを接触させる再生モードと、前記記録・再生用磁気ヘッドと共に消去用磁気ヘッドを接触させる記録モードとを設定する磁気記録再生装置に関する。
【０００２】
【従来の技術】
磁気テープを使用した磁気記録再生装置では、磁気テープに磁気記録を行うときには、磁気テープの移動上流側に消去用磁気ヘッドを接触させて既に記録されている磁化を消去し、移動下流側に設けられた記録・再生用磁気ヘッドで前記磁気記録媒体への磁気記録が行われる。
【０００３】
この種の磁気記録再生装置には、記録・再生用磁気ヘッドと電流供給型の消去用磁気ヘッドとが接合されたコンビネーションヘッドが使用される。このコンビネーションヘッドを用いたものでは、再生モードと記録モードの双方において、記録・再生用磁気ヘッドと消去用磁気ヘッドが共に磁気テープに接触する。そして記録モードのときにのみ消去用磁気ヘッドにバイアス電流を与え、消去用磁気ヘッドの磁気コアで消去用磁界を発生させる。また、再生モードでは、前記バイアス電流を与えず、前記消去用磁界を発生させない。
【０００４】
しかし、前記の電流供給型の消去用磁気ヘッドは価格が高く、またバイアス電流を与え、且つ記録モードと再生モードとで前記バイアス電流の供給を切換えるための電気回路が必要になるため、磁気記録再生装置の全体の価格が高くなる。
【０００５】
一方、消去用磁気ヘッドとして永久磁石などを使用した常に消去用磁界を発生するものを使用すると、消去用磁気ヘッドの価格が安くなり、また前記のバイアス電流の切換えを行う電気回路が不要になり、磁気記録再生装置全体を低価格で製造できる。
【０００６】
しかし、常に消去用磁界を発生する消去用磁気ヘッドを用いると、記録モードのときにのみ前記消去用磁気ヘッドを磁気テープに接触させ、再生モードでは消去用磁気ヘッドを磁気テープから離す切換え機構が必要になる。
【０００７】
例えば特開平１０−８３５０７号公報に開示されているものでは、記録・再生用磁気ヘッドを搭載したヘッドシャーシの移動を制御するモードカムと、このモードカムの停止と停止解除を選択するソレノイドが設けられている。このソレノイドにより消去ヘッド制御アームが駆動され、ソレノイドの励磁時間の制御により前記消去ヘッド制御アームにより消去ヘッドプレートを規制しまたは規制解除している。そして、規制が解除されているときのみ前記消去ヘッドプレートがヘッドシャーシに追従して磁気テープの方向へ移動するようになっている。
【０００８】
【発明が解決しようとする課題】
しかし前記特開平１０−８３５０７号公報に開示されているものでは、ソレノイドで駆動される消去ヘッド制御アームのみを用いて、消去ヘッドプレートの規制または規制解除を行っているため、前記規制解除状態のときに、消去ヘッドプレートとヘッドシャーシとが確実に係合できないことが有り得る。したがって、記録モードのときに、消去ヘッドプレートがヘッドシャーシと共に磁気テープの方向へ移動できるか否か不安定で、実現性に乏しい。
【０００９】
本発明は上記従来の課題を解決するものであり、常に消去用磁界を発生する消去用磁気ヘッドを磁気記録媒体に確実に接触させることができ、再生モードと記録モードとの切換えを安定して行うことができる磁気記録再生装置を提供することを目的としている。
【００１０】
【課題を解決するための手段】
本発明の磁気記録再生装置は、記録・再生用磁気ヘッドおよび、この記録・再生用磁気ヘッドよりも磁気記録媒体の移動上流側に位置する消去用磁気ヘッドと、
前記記録・再生用磁気ヘッドを搭載して、前記記録・再生用磁気ヘッドが磁気記録媒体と接触する駆動位置と、前記記録・再生用磁気ヘッドが磁気記録媒体から離れる停止位置とに移動可能な第１の支持部材と、
モータの動力で回転させられる回転体、および前記回転体に設けられて前記第１の支持部材を前記駆動位置と前記停止位置とに移動させるモード切換えカムと、
前記第１の支持部材が前記駆動位置および前記停止位置のときに前記回転体の回転を停止させるトリガー部材、および前記トリガー部材を、前記回転体を停止させる位置と停止を解除させる位置との間で駆動するトリガー駆動源と、
前記消去用磁気ヘッドを搭載して前記消去用磁気ヘッドが磁気記録媒体に接触する消去位置へ移動可能な第２の支持部材と、
前記モード切換えカムと同期して回転し、その回転中心からの距離が相違する記録モード設定経路と再生モード設定経路とを振り分ける振り分けカムと、前記振り分けカムが回転するときにこの振り分けカムによって移動位置が制御される選択部材とが設けられ、
前記回転体が回転して前記第１の支持部材が前記停止位置から前記駆動位置へ設定される途中で、前記トリガー駆動源の駆動力によって、前記選択部材が前記記録モード設定経路を通過する位置または前記再生モード設定経路を通過する位置のいずれかに振り分けられ、
前記選択部材が前記再生モード設定経路へ振り分けられると、前記選択部材の選択部によって、前記第２の支持部材が前記第１の支持部材の駆動位置への移動に追従しない状態に設定され、前記選択部材が前記記録モード設定経路に振り分けられると、前記第２の支持部材が前記第１の支持部材の駆動位置への移動に追従して前記消去位置へ移動させられる状態に設定されることを特徴とするものである。
【００１１】
上記磁気記録再生装置では、カムにより選択部材を移動させ、この選択部材により消去用磁気ヘッドを記録・再生用磁気ヘッドに追従させるか否かの選択を行っているため、記録モードと再生モードでの消去用磁気ヘッドの制御を確実にでき、誤動作を防止できる。
【００１２】
なお、消去用磁気ヘッドは、常に消去用磁界を発生するものである。カムは、モード切換え手段とは別個の機構、例えばモード切換え手段を備えた回転体と別個の回転体上に設けてもよい。また、第２の支持部材は後に説明する回動式のものでもよく、あるいは機構シャーシ上をスライドするものであってもよい。
【００１４】
本発明では、例えば、前記トリガー駆動源がソレノイドであり、前記ソレノイドの励磁と非励磁の一方で前記トリガー部材が前記回転体を停止させ、他方で前記回転体の停止を解除し、前記停止を解除したときの前記ソレノイドの設定時間を変えることにより、前記選択部材が前記記録モード設定経路を通過する位置または前記再生モード設定経路を通過する位置に振り分けられる。
【００１５】
上記のように、回転体の停止と停止解除の制御を行うトリガー部材で選択部材を制御すると、選択部材の位置を制御する機構を前記トリガー部材やソレノイドと別個に設ける必要がなくなる。
【００１６】
特に、前記モード切換えカムと前記振り分けカムとが、同じ回転体に設けられていることが好ましい。
【００１７】
この構造では１個の回転体で、記録・再生用磁気ヘッドの制御と、消去用磁気ヘッドの制御ができ、回転体を単一にすることが可能である。
【００１８】
また、前記第２の支持部材を前記消去位置へ付勢するばね部材が設けられ、前記選択部材が前記再生モード設定経路に振り分けられているときに、前記選択部材の前記選択部で前記第２の支持部材が規制されて、前記駆動位置へ移動する第１の支持部材が前記ばね部材に移動力を与えず、前記選択部材が前記記録モード設定経路に振り分けられているときに、前記選択部による前記第２の支持部材の規制が解除されて、前記駆動位置へ移動する第１の支持部材から前記ばね部材を介して前記第２の支持部材に前記消去位置方向への移動力が与えられる構造にできる。
【００１９】
さらに、機構シャーシには一定速度で回転するキャプスタンと、磁気記録媒体を挟んで前記キャプスタンに対向するピンチローラおよび、このピンチローラを支持するローラ支持部材が設けられ、ローラ支持部材と前記第２の支持部材は、共に前記機構シャーシに回動自在に支持され、前記第１の支持部材が前記駆動位置へ移動するときに、第１の支持部材に前記ローラ支持部材が追従して、前記ピンチローラが前記キャプスタンとで磁気記録媒体を挟む位置へ移動させられる構造であってもよい。
【００２０】
上記のように、消去用磁気ヘッドを支持する第２の支持部材とローラ支持部材とを同じように回動するものとすると、従来のオートリバース方式の磁気記録再生装置の、一方のピンチローラ支持機構を前記第２の支持部材に代え、ピンチローラを選択する選択部材を、本発明の前記選択部材に代えることにより、磁気記録装置を構成できる。
【００２１】
【発明の実施の形態】
図１と図２は本発明の磁気記録再生装置の停止モードを示しており、それぞれ別々の部材を図示している。図３と図４は本発明の磁気記録再生装置の記録モードを示しており、それぞれ別々の部材を図示している。図５と図６は本発明の磁気記録再生装置の再生モードを示しており、それぞれ別々の部材を図示している。
【００２２】
各図に示される符号１は機構シャーシである。機構シャーシ１には巻取り側のリール軸２と、供給側のリール軸３が回転自在に支持されており、巻取り側のリール軸２が反時計方向へ、供給側のリール軸３が時計方向へ、選択的にモータで回転駆動される。磁気テープを収納したカセットＣは前記リール軸２とリール軸３上に設置される。このとき各リール軸２，３に、カセットＣ内のテープリールの中心穴が嵌着される。
【００２３】
記録モードまたは再生モードでは、巻取り側のリール軸２が反時計方向へ低速で回転駆動される。テープの早送りモードでは、前記リール軸２が反時計方向へ高速で回転駆動され、テープの巻き戻しモードでは、供給側のリール軸３が時計方向へ高速で回転駆動される。
【００２４】
機構シャーシ１の上面にはキャプスタン４が突出して設けられている。このキャプスタン４は、機構シャーシ１に固定された軸受５に回転自在に支持されている。機構シャーシ１の下側には、前記キャプスタン４と一体のフライホイール（図示せず）が設けられている。フライホイールとキャプスタン４にはモータの動力が与えられ、これらは反時計方向へ一定速度で回転駆動される。
【００２５】
図２に示すように、機構シャーシ１の下面側では、キャプスタン４と一体の駆動歯車１０が設けられており、この駆動歯車１０は、キャプスタン４と共に反時計方向へ一定速度で回転駆動される。
【００２６】
図１に示すように、機構シャーシ１の上面には、第１の支持部材であるヘッドベース６が設けられている。このヘッドベース６は、機構シャーシ１上でＹ１−Ｙ２方向へ移動自在に案内されている。Ｙ１方向が停止位置方向、Ｙ２方向が駆動位置方向である。また、ヘッドベース６と機構シャーシ１との間には引張りスプリング７が掛けられ、この引張りスプリング７の弾性収縮力により、ヘッドベース６は常にＹ１方向へ付勢されている。
【００２７】
ヘッドベース６には、記録・再生用磁気ヘッドＨａが搭載されている。図１では、ヘッドベース６がＹ１方向へ移動した停止位置にあり、記録・再生用磁気ヘッドＨａは、カセットＣ内の磁気記録媒体である磁気テープから離れている。
【００２８】
前記ヘッドベース６のほぼ中央部分には、下方向（紙面奥方向）に曲げ形成された被押圧部である折曲片６ａが設けられている。この折曲片６ａは、機構シャーシ１に形成された切欠き窓を経て機構シャーシ１の下面側へ延びている。また前記ヘッドベース６のＹ１側において図示右側部分には、ローラ支持部材８をＹ２方向（駆動位置方向）へ押圧するために押圧部６ｂが一体に形成され、Ｙ１側において図示左側部分には、消去用支持部材（第２の支持部材）１３をＹ２側へ押圧するための押圧部６ｃが一体に形成されている。これら押圧部６ｂと６ｃは、前記ヘッドベース６のＹ１側に形成された切欠部６ｄと６ｅの側辺から上方向（紙面手前方向）へ一体的に折り曲げ形成されている。
【００２９】
機構シャーシ１の上面では、Ｙ１側の図示右側に支持軸９が固定され、この支持軸９にはローラ支持部材８が回転自在に支持されている。ローラ支持部材８には前記キャプスタン４に対向するピンチローラＰがローラ軸１１により回転自在に支持されている。
【００３０】
前記ローラ支持部材８の支持側端部には、付勢部材としてのトーションばね１２が巻き装着されている。トーションばね１２の一方の腕１２ａは、前記ローラ支持部材８に形成された支持部８ａに掛けられている。トーションばね１２の他方の腕１２ｂは、ローラ支持部材８に形成された支持部８ｂに支持されており、腕１２ｂの先端は前記ヘッドベース６に設けられた押圧部６ｂでＹ２方向へ押圧される位置へ延びている。
【００３１】
また前記ローラ支持部材８の先部には下側に延びる復帰突起８ｃが一体に形成されている。前記復帰突起８ｃは、前記ヘッドベース６の切欠部６ｄ内に位置している。図１に示すように、ヘッドベース６がＹ１方向へ移動しているとき、前記切欠部６ｄにより前記復帰突起８ｃがＹ１方向へ押し戻されて、ローラ支持部材８が反時計方向へ回動している。
【００３２】
機構シャーシ１のＹ１側の図示左側部分には支持軸１４が固定されており、この支持軸１４に消去用支持部材（第２の支持部材）１３が回動自在に支持されている。この消去用支持部材１３には消去用磁気ヘッドＨｂが搭載されている。この消去用磁気ヘッドＨｂは常に消去用磁界を発生するものであり、この実施の形態では、先部に永久磁石が設けられたものである。
【００３３】
前記消去用支持部材１３の支持側端部には、付勢部材となるトーションばね１５が巻き装着されている。このトーションばね１５の腕１５ａと腕１５ｂは、共に、消去用支持部材１３に一体に形成された支持部１３ａに掛けられている。また、消去用支持部材１３の先部には下方向へ延びる位置制御突起１３ｂが一体に形成されている。この位置制御突起１３ｂは、ヘッドベース６の前記切欠部６ｅ内に位置している。さらに位置制御突起１３ｂは、機構シャーシ１に形成された切欠部（図示せず）内を経て、機構シャーシ１の下面に延びている。
【００３４】
図２に示すように、機構シャーシの下面側には選択部材である選択プレート１８がＸ１−Ｘ２方向へ移動自在に支持されている。前記Ｘ１−Ｘ２方向は、前記ヘッドベース６が移動するＹ１−Ｙ２方向（停止位置方向−駆動位置方向）と直交する方向である。前記選択プレート１８は、選択付勢部材である引張りコイルスプリング１９によりＸ１方向（再生モードを設定する方向）へ常に付勢されている。
【００３５】
前記選択プレート１８のＹ２側の部分には、下方向（紙面奥側方向）に折り曲げ形成された位置制御部１８ａが一体に設けられている。また、前記選択プレート１８の図示左側には、選択部２１が切欠きまたは穴として形成されている。この選択部２１は、Ｙ２側が広幅部２１ｂで、Ｙ１側が細幅部２１ａである。この細幅部２１ａの図示右側の側辺が再生モード設定部（規制部）２１ａ１、図示左側の側辺は記録モード設定部２１ａ２となっている。前記消去用支持部材１３に設けられた位置制御突起１３ｂは、機構シャーシ１に形成された切欠部（図示せず）内を通過して、前記選択部２１の内部に挿入されている。
【００３６】
また前記選択プレート１８の図示右端部には、被押圧部（係止部）１８ｂが、上側（紙面手前側）に向けて、一体に折り曲げ形成されている。
【００３７】
前記機構シャーシ１の下面側には、回転体２０が設けられている。この回転体２０の中心は、機構シャーシ１に固定された支持軸２０Ａに回動自在に取付けられている。
【００３８】
回転体２０の外周は歯車を形成する歯部２０ａである。この歯部２０ａが部分的に除去されて第１の欠歯部２０ｂと第２の欠歯部２０ｃが形成されている。図１と図２に示すように、第１の欠歯部２０ｂが前記駆動歯車１０に対向しているときが停止モードである。図４と図６に示すように、前記第２の切欠部２０ｃが前記駆動歯車１０に対向しているときが、記録モードまたは再生モードである。なお、第１の欠歯部２０ｂと第２の欠歯部２０ｃとの間に第３の欠歯部２０ｄが設けられている。この欠歯部２０ｄが前記駆動歯車１０に対向しているときに、キューまたはレビューモードが設定される。
【００３９】
また前記回転体２０の下面には、第１のストップ突起２２ａと第２のストップ突起２２ｂが一体に形成されている。図１と図２に示すように、前記第１の欠歯部２０ｂが駆動歯車１０に対向しているとき、前記第１のストップ突起２２ａにより回転体２０の時計方向（ＣＷ方向）への回転が停止させられる。また、図４と図６に示すように、前記第２の欠歯部２０ｃが前記駆動歯車１０に対向しているときに、前記第２のストップ突起２２ｂにより回転体２０の時計方向（ＣＷ方向）への回転が停止させられる。なお前記第３の欠歯部２０ｄが駆動歯車１０に対向しているときに回転体２０を停止させる第３のストップ突起が設けられているが、この第３のストップ突起の図示は省略する。
【００４０】
前記回転体２０の上面の中央部には、モード切換え手段となるモード切換えカム２４が一体に形成されている。図１、図４および図６に示すように、前記ヘッドベース６に形成された折曲片６ａは、前記引張りスプリング７の付勢力により、前記モード切換えカム２４の外周のカム面に押し付けられている。
【００４１】
前記カム面には、図１の状態で前記折曲片６ａが当接する停止モード設定部２４ａと、図４と図６の状態で前記折曲片６ａが当接する駆動モード設定部２４ｂとが設けられている。駆動モード設定部２４ｂは、前記停止モード設定部２４ａよりも、回転体２０の回転中心からの半径距離の長い場所に形成されている。また、前記カム面２４の符号２４ｃ（図２参照）で示す部分がキューまたはレビューモード設定部である。
【００４２】
また前記回転体２０の上面には、振り分けカム２５が形成されている。この振り分けカム２５により、前記選択プレート１８の位置制御部１８ａの通過経路が変えられ、これにより選択プレート１８の位置が制御される。前記カム２５の内周側が、記録モード設定経路２６ａであり、外周側が再生モード設定経路２６ｂである。
【００４３】
図２に示すように、機構シャーシ１の下面にはトリガー部材３１が設けられ、このトリガー部材３１は、機構シャーシ１に固定された軸３２により回動自在に支持されている。トリガー部材３１は２つのアームが一体化されたものであり、一方のアームの先部には、回転体２０の停止と停止の解除を行う停止設定部３１ａが一体に設けられ、他方のアームの先部には、前記選択プレート１８の右側に形成された被押圧部１８ｂに係止可能な押圧部３１ｂが形成されている。
【００４４】
機構シャーシ１にはトリガー駆動源としてソレノイド３３が取付けられており、そのプランジャ３４が、前記トリガー部材３１の側方突出部３１ｃに掛止されている。またプランジャ３４の外周には圧縮スプリング３５が外装されており、この圧縮スプリング３５の弾性伸び力により、プランジャ３４が突出方向へ付勢されている。
【００４５】
次に上記磁気記録再生装置の動作を説明する。
（停止モード）
図１と図２は停止モードを示している。図２に示すソレノイド３３は非励磁状態であり、プランジャ３４は突出している。よってトリガー部材３１は時計方向へ回動させられている。このとき、トリガー部材３１の停止設定部３１ａが回転体２０の第１のストップ突起２２ａに掛止できる位置にある。
【００４６】
図１に示すように、ヘッドベース６の折曲片６ａはモード切換えカム２４の停止モード設定部２４ａに当接し、前記引張りスプリング７の弾性力で、折曲片６ａが停止モード設定部２４ａに押圧されている。この押圧力により回転体２０が時計方向（ＣＷ方向）へ付勢され、前記第１のストップ突起２２ａがトリガー部材３１の停止設定部３１ａに押し付けられて、回転体２０は停止状態に安定している。この停止状態では、第１の欠歯部２０ｂが駆動歯車１０に対向している。
【００４７】
図１に示すように、前記停止モードでは、ヘッドベース６の折曲部６ａが、回転中心に近い位置にある停止モード設定部２４ａに当接しているため、ヘッドベース６はＹ１方向へ移動した停止位置にあり、記録・再生用磁気ヘッドＨａがカセットＣ内の磁気テープから離れている。またヘッドベース６の右側の切欠部６ｄにより、復帰突起８ｃのＹ２方向への移動が規制されるため、ローラ支持部材８が時計方向へ回動することができず、ピンチローラＰがキャプスタン４から離れている。また、消去用支持部材１３では、選択プレート１８の選択部２１の右側辺の再生モード設定部（規制部）２１ａ１により位置制御突起１３ｂの反時計方向への回動が規制されるため、消去用支持部材１３が反時計方向へ回動することができず、消去用磁気ヘッドＨｂはカセットＣ内の磁気テープから離れている。
【００４８】
また図２に示すように、トリガー部材３１の押圧部３１ｂは、選択プレート１８の被押圧部１８ｂから離れている。よって、選択プレート１８は引張りコイルスプリング１９によりＸ１方向へ引かれた位置にある。
【００４９】
（停止モードから記録モードへの切換え動作）
停止モードから記録モードへの切換えでは、モータが始動して、キャプスタン４および駆動歯車１０が一定速度で反時計方向へ回転させられる。
前記回転駆動の開始後にソレノイド３３が励磁され、プランジャ３４が引かれれて、トリガー部材３１が反時計方向へ回動する。そして、トリガー部材３１の停止設定部３１ａが第１のストップ突起２２ａから外れて回転体２０の停止解除となる。このときヘッドベース６の折曲部６ａでモード切換えカム２４に時計方向への付勢力が与えられているため、停止解除と同時に回転体２０が時計方向へ回動し、第１の欠歯部２０ｂが駆動歯車１０から外れ、回転体２０の歯部２０ａが駆動歯車１０に噛み合う。その後は駆動歯車１０の回転力が回転体２０に伝達され、回転体２０が時計方向へ回転駆動される。
【００５０】
前記トリガー部材３１が反時計方向へ回動したとき、トリガー部材３１に形成された押圧部３１ｂによって選択プレート１８の被押圧部１８ｂがＸ２方向へ押され、選択プレート１８がＸ２方向へ移動させられる。ソレノイド３３の励磁時間は、振り分けカム２５が選択プレート１８の位置制御部１８ａに至る時よりも長く設定される。振り分けカム２５が位置制御部１８ａに至ったときに、選択プレート１８がＸ２方向に保持されているため、前記位置制御部１８ａが振り分けカム２５の内周側の記録モード設定経路２６ａ内に導かれ、選択プレート１８がさらにＸ２方向へ移動させられる。その状態を図３に示す。
【００５１】
図３では、選択プレート１８がＸ２方向へ移動しているため、図示左側に設けられた選択部２１の記録モード設定部２１ａ２により位置制御突起１３ｂがＸ２方向へ押され、消去用支持部材１３が反時計方向へ回動させられた状態で保持される。よって、消去用支持部材１３の支持側端部に巻き装着されたトーションばね１５の腕１５ｂに対し、ヘッドベース６に形成された押圧部６ｃがＹ１側から対向する。
【００５２】
前記回転体２０の回転により、モード切換えカム２４のカム面でヘッドベース６がＹ２方向へ押されて移動するが、このとき前記押圧部６ｃにより前記腕１５ｂがＹ２方向へ押される。したがって、図４に示すように消去用支持部材１３が反時計方向へ回動させられ、消去用磁気ヘッドＨｂがカセットＣ内のテープに接触する。図４に示す記録モードでは、前記押圧部６ｃの力がトーションばね１５を介して消去用支持部材１３の反時計方向への回動力として与えられ、消去用磁気ヘッドＨｂは弾性的に磁気テープに押圧させられる。
【００５３】
同様に、前記ヘッドベース６がＹ２方向へ移動する際に、ヘッドベース６の右側に形成された押圧部６ｂによって、ローラ支持部材８の支持側端部に巻き装着されたトーションばね１２の腕１２ｂがＹ２方向へ押される。よって、図４の記録モードでは、ローラ支持部材８がトーションばね１２の弾性力を介して時計方向へ回動させられ、ピンチローラＰにより磁気テープがキャプスタン４に押し付けられる。
【００５４】
回転体２０が図４の位置に回動する前にソレノイド３３が非励磁状態になり、トリガー部材３１が時計方向へ回動させられる。よって、回転体２０に設けられた第２のストップ突起２２ｂがトリガー部材３１の停止設定部３１ａに当たる。このとき、回転体２０の第２の欠歯部２０ｃが駆動歯車１０に対向し、駆動歯車１０から回転体２０への動力の伝達が断たれる。
【００５５】
図４の記録モードでは、回転体２０に設けられたモード切換えカム２４の駆動モード設定部２４ｂによってヘッドベース６がＹ２方向へ大きく移動させられている。また引張りスプリング７の付勢力によりヘッドベース６の折曲片６ａが前記モード切換えカム２４の駆動モード設定部２４ｂをＹ１方向へ押し付けているので、回転体２０には時計方向への回動付勢力が作用する。この回動付勢力により第２のストップ突起２２ｂがトリガー部材３１の停止設定部３１ａに押し付けられ、回転体２０が図４の状態で安定する。
【００５６】
図４の記録モードでは、前記ヘッドベース６のＹ２方向への移動により、記録・再生用磁気ヘッドＨａが磁気テープに接触し、また前記のように消去用磁気ヘッドＨｂが磁気テープに接触する。さらにキャプスタン４とピンチローラＰとで磁気テープが挟持されているため、キャプスタン４の反時計方向への回転により、磁気テープがＸ２方向へ走行させられ、また巻取り側リール軸２によりカセットＣ内のテープリールが回転駆動され、テープが巻き取られる。
【００５７】
（停止モードから再生モードへの切換え動作）
再生モードの設定では、記録モードへの設定と同様に、図２の停止モードからソレノイド３３が励磁されてプランジャ３４が引かれ、トリガー部材３１が反時計方向へ回動させられて、停止設定部３１ａが第１のストップ突起２２ａから外れる。したがって、駆動歯車１０により回転体２０が時計方向へ回動させられる。
【００５８】
ただし、このときのソレノイド３３の励磁時間は短く、振り分けカム２５が選択プレート１８の位置制御部１８ａに至る前の時点で、ソレノイド３３が非励磁状態になり、トリガー部材３１が時計方向へ回動する。この間、ソレノイド３３の励磁によりトリガー部材３１の押圧部３１ｂによって被押圧部１８ｂがＸ２方向へ押されて選択プレート１８が一旦Ｘ２方向へ移動するが、直ちにソレノイド３３が非励磁となるため、選択プレート１８が引張りコイルスプリング１９の引張り力でＸ１方向へ復帰する。その結果、図５に示すように、前記位置制御部１８ａは振り分けカム２５の外周側の再生モード設定経路２６ｂ内に案内される。図５の状態では、前記再生モード設定経路２６ｂにより選択プレート１８が図２の位置よりもさらにＸ１方向へ移動させられる。
【００５９】
よって、選択プレート１８の選択部２１の右側辺の再生モード設定部２１ａ１により、消去用支持部材１３の位置制御突起１３ｂが時計方向へ押され、消去用支持部材１３は時計方向へ回動した状態で保持される。図５に示すように、消去用支持部材１３が時計方向へ回動させられると、トーションばね１５の腕１５ｂの先端が、ヘッドベース６の押圧部６ｃよりも図示左側に移動する。
【００６０】
記録モードへの切換え動作と同様に、回転体２０の時計方向への回転により、モード切換えカム２４がヘッドベース６をＹ２方向へ移動させるが、このときヘッドベース６の押圧部６ｃが前記腕１５ｂの先端に当たることなくＹ２方向へ移動する。したがって、消去用支持部材１３は反時計方向へ回動することなく、消去用磁気ヘッドＨｂは磁気テープに当たらない。
【００６１】
図６に示す再生モードでは、図４に示す記録モードと同様に、回転体２０の第２のストップ突起２２ｂがトリガー部材３１の停止設定部３１ａに当たり、第２の欠歯部２０ｃが駆動歯車１０に対向した状態で、回転体２０が停止する。
【００６２】
このとき記録モードと同様に、ローラ支持部材８は時計方向へ回動させられるため、ピンチローラＰによって磁気テープがキャプスタン４に押し付けられる。またモード切換えカム２４の駆動モード設定部２４ｂによりヘッドベース６がＹ２方向へ大きく前進させられ、記録・再生用磁気ヘッドＨａが磁気テープに接触する。そして前記キャプスタン４の回転力により磁気テープがＸ２方向へ送られ、巻取り側のリール軸２でテープリールが巻取り方向へ回転させられる。
【００６３】
なお、再生モードでは、選択プレート１８がＸ１側へ移動しているため、消去用支持部材１３の位置制御突起１３ｂの反時計方向への回動は、選択プレート１８の選択部２１の再生モード設定部２１ａ１により規制される。よって消去用支持部材１３が反時計方向へ大きく回動することがなく、消去用磁気ヘッドＨｂが磁気テープに接触することがない。
【００６４】
（記録モードまたは再生モードから停止モードへの切換え動作）
図４に示す記録モードまたは図６に示す再生モードから、ソレノイド３３が短時間励磁されると、トリガー部材３１が反時計方向へ回動し、停止設定部３１ａが回転体２０の第２のストップ突起２２ｂから外れ停止が解除される。このとき、ヘッドベース６の折曲片６ａが、引張りスプリング７の弾性力により、モード切換えカム２４の駆動モード設定部２４ｂに押し付けられ、回転体２０に時計方向への回動付勢力が与えられている。
【００６５】
よって、前記停止解除と同時に、回転体２０が時計方向へ回転し始め、第２の欠歯部２０ｃが駆動歯車１０から外れ、歯部２０ａが駆動歯車１０と噛み合う。そのため、駆動歯車１０により回転体２０が時計方向へ駆動される。そして図２に示されるように、回転体２０の第１のストップ突起２２ａがトリガー部材３１の停止設定部３１ａに当り、第１の欠歯部２０ｂが駆動歯車１０に対向した状態で、回転体２０が停止する。
【００６６】
（キューまたはレビューモードの設定）
図６に示す再生モードから前記停止モードへ切換えられる際、第３の欠歯部２０ｄが駆動歯車１０に対向したときに、回転体２０の第３のストップ突起（図示せず）を前記停止設定部３１ａに当てて回転体２０を停止させると、モード切換えカム２４により、ヘッドベース６が図６よりもわずかにＹ１方向へ復帰した位置で停止させられる。
【００６７】
このとき、ヘッドベース６の切欠部６ｄによってローラ支持部材８が反時計方向へ回動させられ、ピンチローラＰがキャプスタン４から離れる。また記録・再生用磁気ヘッドＨａは磁気テープに軽く接触する位置で停止する。この状態で巻取り側のリール軸２でテープを高速で巻き取ると、キューモードが設定され、供給側のリール軸３でテープを巻き取るとレビューモードが設定される。
【００６８】
なお、前記ソレノイド３３が励磁状態のとき、トリガー部材３１により回転体２０が停止させられ、ソレノイド３３の非励磁状態のときに、回転体２０の停止が解除されてもよい。
【００６９】
【発明の効果】
以上のように本発明では、カムにより選択部材の位置を制御し、この選択部材に設けられた選択部により、消去用磁気ヘッドが搭載された第２の支持部材が、記録・再生用磁気ヘッドを搭載した第１の支持部材に追従して移動するか否かの選択を行っている。したがって、記録動作では第２の支持部材を確実に移動させて、消去用磁気ヘッドを磁気テープに押圧させることができ、安定した切換え動作を実現できる。
【図面の簡単な説明】
【図１】本発明の磁気記録再生装置の停止モードを示すものであり、主に回転体と第１の支持部材（ヘッドベース）との関係を示す平面図、
【図２】本発明の磁気記録再生装置の停止モードを示すものであり、主に回転体と選択部材（選択プレート）との関係を示す平面図、
【図３】停止モードから記録モードへの切換え動作を示す平面図、
【図４】記録モードを示す平面図、
【図５】停止モードから再生モードへの切換え動作を示す平面図、
【図６】再生モードを示す平面図、
【符号の説明】
Ｃ  カセット
Ｐ  ピンチローラ
Ｈａ  記録・再生用磁気ヘッド
Ｈｂ  消去用磁気ヘッド
１  機構シャーシ
２，３  リール軸
４  キャプスタン
６  ヘッドベース（第１の支持部材）
６ａ  折曲片
８  ローラ支持部材
１０  駆動歯車
１２  トーションばね
１３  消去用支持部材（第２の支持部材）
１５  トーションばね（消去用磁気ヘッドの付勢部材）
１８  選択プレート（選択部材）
２１  選択部
２０  回転体
２２ａ  第１のストップ突起
２２ｂ  第２のストップ突起
２０ｂ  第１の欠歯部
２０ｃ  第２の欠歯部
２４  モード切換えカム（モード切換え手段）
２５  振り分けカム
３１  トリガー部材
３３  ソレノイド
【図１】
0003649938.tif 000002
【図２】
0003649938.tif 000003
【図３】
0003649938.tif 000004
【図４】
0003649938.tif 000005
【図５】
0003649938.tif 000006
【図６】
0003649938.tif 000007